(57)【要約】 【課題】  フリーサイズであって、しかも、表面にできる継目や孔の面積を少なくし、多様なデザインを採用できる環状装身具を提供する。【解決手段】  一端に凸部１１０を有し、該凸部１１０が進入する凹部１２０を他端に有する環状に湾曲した複数のリンク１１と、前記凸部１１０に穿設され環の周長方向に長い長孔１１１と、該長孔内に収容された仕切板１１３と、該仕切板を長孔内で凸部の基端側に向けて付勢する弾性体１１４と、前記凹部１２０の内側の前記長孔１１１と対向する位置に設けられ先端が前記仕切板１１３と長孔１１１の基端側内壁との間に進入する係止突起１２３ｃと、を有する。仕切板１１３が長孔内で移動できる範囲で環状装身具の径を拡縮できる。【選択図】        図１
2005034512.tif 000002
【特許請求の範囲】
【請求項１】
一端に凸部を有し、該凸部が進入する凹部を他端に有する環状に湾曲した弾性リンクと、前記凸部に穿設され環の周長方向に長い長孔と、該長孔内に収容された仕切板と、該仕切板を長孔内で凸部の基端側に向けて付勢する弾性体と、前記凹部の内側の前記長孔と対向する位置に設けられ先端が前記仕切板と長孔の基端側内壁との間に進入する係止突起と、を有することを特徴とする環状装身具。
【請求項２】
一端に凸部を有する第１リンクと、前記凸部が進入する凹部を有する第２リンクと、第１リンクと第２リンクの他端同士を回動可能に接続するヒンジ部と、前記凸部に穿設され環の周長方向に長い長孔と、該長孔内に収容された仕切板と、該仕切板を長孔内で凸部の基端側に向けて付勢する弾性体と、前記凹部の内側の前記長孔と対向する位置に設けられ先端が前記仕切板と長孔の基端側内壁との間に進入する係止突起と、を有することを特徴とする環状装身具。
【請求項３】
一端に凸部を有し他端に該凸部が進入できる大きさの凹部を有する複数のリンクと、前記凸部に穿設され環の周長方向に長い長孔と、該長孔内に収容された仕切板と、該仕切板を長孔内で凸部の基端側に向けて付勢する弾性体と、前記凹部の内側の前記長孔と対向する位置に設けられ先端が前記仕切板と長孔の基端側内壁との間に進入する係止突起と、を有し、各凸部を各凹部に嵌入して係止突起で係止することで環状に形成されることを特徴とする環状装身具。
【請求項４】
前記凹部が外側から内側まで貫通して穿設された孔を有し、前記係止突起が、該孔を貫通して取り付けられていることを特徴とする請求項１から３のいずれかに記載の環状装身具。
【請求項５】
前記凹部の孔がねじ孔で、前記係止突起が雄ねじの先端部であることを特徴とする請求項４記載の環状装身具。
【請求項６】
前記凸部が先端にねじ孔を有し、前記弾性体がコイルスプリングであり、前記仕切板に貫通孔があり、凸部の先端のねじ孔に螺合しコイルスプリングを貫通し、仕切板の貫通孔に進入する雄ねじを設けたことを特徴とする請求項１から５のいずれかに記載の環状装身具。
【請求項７】
前記雄ねじが頭部にねじ山を有し、凸部の先端のねじ孔内の任意の深さまで螺合可能であり、前記弾性体がコイルスプリングであり、前記仕切板と雄ねじの頭部との間に嵌装されることを特徴とする請求項６記載の環状装身具。
【発明の詳細な説明】
【技術分野】
【０００１】
本発明は、指輪やブレスレットなどの環状の装身具に関し、特に、内径が拡大縮小可能なフリーサイズの機能を備えたものに関する。
【背景技術】
【０００２】
内径が拡縮可能なフリーサイズの指輪として、特許文献１（特開平８−１８２５１９号）に開示された指輪がある。これは、指輪の一部に切離部を設けたもので、指輪の内側に斜めの溝又は突状を平行に多数形成し、これらの斜めの溝又は突状に沿って回転させつつねじ込む要領で指に装着し、逆転して取り外すようになっている。指輪の環の一部が切り欠けてＣ字状になっているので、この間隔が広くなったり、狭くなったりすることで太い指でも細い指でも使用可能なフリーサイズになる。
【０００３】
しかし、この指輪は指の太さの変化で切離部の間隔が変わる程度の厚さのものしか利用できないので、高級なものには不向きである。
【０００４】
切離部の無いフリーサイズの指輪として特許文献２（特許第３２５４４５０号）に記載のものがある。これは以下のような構成である。
【０００５】
一対の回動環構成体と、この一対の回動環構成体の一方の対向する両端部にそれぞれ割溝を形成する。突状部を両端に形成した十字型のスライド側環構成体を形成し、両突状部を前記割溝に挿入する。この突状部にはガイド溝を形成してあり、割溝には前記ガイド溝に進入するピンを挿入する。また、回動環構成体のもう一方の対向する端部間には、弾性体を設け、前記突状部が溝内に進入する方向に付勢している。以上の構成によりガイド溝の長さの分だけ円周が伸びるようにして、サイズの変更を可能としている。
【０００６】
しかしながら、このフリーサイズの指輪は、構成が複雑で、しかも、突状部の数が２つに限定されるので突状部を長くしなければ所望の拡縮範囲を確保できない。また、他方端に弾性体を設けるが、この弾性体も指輪の表面に露出するので、継目や孔の部分が多くなり、模様の刻設が困難になり、形状の変更も殆どできない。
【０００７】
【特許文献１】特開平８−１８２５１９号
【特許文献２】特許第３２５４４５０号
【発明の開示】
【発明が解決しようとする課題】
【０００８】
本発明は、上記の事実から考えられたもので、フリーサイズであって、しかも、表面にできる継目や孔の面積を少なくし、多様なデザインを採用できる環状装身具を提供することを目的としている。
【課題を解決するための手段】
【０００９】
前記の目的を達成するための本願の第１の発明としての環状装身具は、一端に凸部を有し、該凸部が進入する凹部を他端に有する環状に湾曲した弾性リンクと、前記凸部に穿設され環の周長方向に長い長孔と、該長孔内に収容された仕切板と、該仕切板を長孔内で凸部の基端側に向けて付勢する弾性体と、前記凹部の内側の前記長孔と対向する位置に設けられ先端が前記仕切板と長孔の基端側内壁との間に進入する係止突起と、を有することを特徴としている。
【００１０】
本願の第２の発明としての環状装身具は、一端に凸部を有する第１リンクと、前記凸部が進入する凹部を有する第２リンクと、第１リンクと第２リンクの他端同士を回動可能に接続するヒンジ部と、前記凸部に穿設され環の周長方向に長い長孔と、該長孔内に収容された仕切板と、該仕切板を長孔内で凸部の基端側に向けて付勢する弾性体と、前記凹部の内側の前記長孔と対向する位置に設けられ先端が前記仕切板と長孔の基端側内壁との間に進入する係止突起と、を有することを特徴としている。
【００１１】
本願の第３の発明としての環状装身具は、一端に凸部を有し他端に該凸部が進入できる大きさの凹部を有する複数のリンクと、前記凸部に穿設され環の周長方向に長い長孔と、該長孔内に収容された仕切板と、該仕切板を長孔内で凸部の基端側に向けて付勢する弾性体と、前記凹部の内側の前記長孔と対向する位置に設けられ先端が前記仕切板と長孔の基端側内壁との間に進入する係止突起とを有し、各凸部を各凹部に嵌入して係止突起で係止することで環状に形成されることを特徴としている。
【００１２】
本願の第４の発明としての環状装身具は、前記凹部が外側から内側まで貫通して穿設された孔を有し、前記係止突起が、該孔を貫通して取り付けられていることを特徴としている。
【００１３】
本願の第５の発明としての環状装身具は、前記凹部の孔がねじ孔で、前記係止突起が雄ねじの先端部であることを特徴としている。
【００１４】
本願の第６の発明としての環状装身具は、前記凸部が先端にねじ孔を有し、前記弾性体がコイルスプリングであり、前記仕切板に貫通孔があり、凸部の先端のねじ孔に螺合しコイルスプリングを貫通し、仕切板の貫通孔に進入する雄ねじを設けたことを特徴としている。
【００１５】
本願の第７の発明としての環状装身具は、前記雄ねじが頭部にねじ山を有し、凸部の先端のねじ孔内の任意の深さまで螺合可能であり、前記弾性体がコイルスプリングであり、前記仕切板と雄ねじの頭部との間に嵌装されることを特徴としている。
【発明の効果】
【００１６】
本願の第１の発明によれば、簡単な構成で凸部が凹部に進入する深さを増減することができるので、環状装身具の径を変化させることができる。また、凸部と凹部の嵌合部分以外は環状装身具の表面には継ぎ目や孔はない。そのため他の部分に模様を刻設したり、他の部分を別の形状としたりして多様なデザインを付加することができる。
【００１７】
第２の発明によれば、リンクの弾性は不用となるので、リンクを厚くしたり、硬い素材を用いるなど、剛性とすることができる。
【００１８】
第３の発明によれば、１つの環状装身具に多数の凸部と凹部の嵌合部分を設けることができ、１個所での径の変化を小さくしても全体として大きな径の変化とすることができる。
【００１９】
第４の発明によれば、凹部が外側から内側まで貫通して穿設された孔を有し、係止突起が、この孔を貫通して取り付けられている構成なので、係止突起の取り付けが容易にできるようになる。第５の発明のように前記孔をねじ孔とすれば、さらに取り付けが容易にできる。
【００２０】
第６の発明によれば、凸部が先端にねじ孔を有し、弾性体がコイルスプリングであり、仕切板に貫通孔があり、凸部の先端のねじ孔に螺合しコイルスプリングを貫通し、仕切板の貫通孔に進入する雄ねじを設けたので、凸部の構成を安定したものとすることができる。
【００２１】
第７の発明によれば、雄ねじは、ねじ孔の任意の深さまでねじ込むことができ、ねじ込み深さが調整できるので、コイルスプリングの弾性力を加減することができる。したがって、装身具の締付力を調整することができる。
【発明を実施するための最良の形態】
【００２２】
本発明における環状装身具の実施例を以下に図面を用いて説明する。
図１は、本発明の環状装身具の斜視図である。同図に示す環状装身具１０は、４つのリンク１１を接続して環状にしたものである。
【００２３】
図２は、図１に示す１つのリンク１１の両端部の構成を示す拡大分解斜視図で、図３はリンク１１の接続部を示す断面図で、（ａ）は接続前の状態、（ｂ）は接続後の状態を示す。これらの図に示すようにリンク１１の一方端には、凸部１１０があり、他端には、この凸部１１０が進入できる広さの凹部１２０が形成されている。
【００２４】
凸部１１０には、リンク１１の長さ方向、すなわち環状装身具の周長方向に長い長孔１１１がある。また、凸部１１０の先端面には、ねじ孔１１２が刻設されている。長孔１１１内には、コ字形の両先端を外側に折り曲げた形状の仕切板１１３を収容している。仕切板１１３の中央には孔１１３ａが貫通している。
【００２５】
長孔１１１内に仕切板１１３を収容し、ねじ孔１１２からコイルスプリング１１４を挿入する。コイルスプリング１１４は仕切板１１３の孔１１３ａを通過できない大きさであるが、この孔１１３ａに重ねる。この状態から、雄ねじ１１５をねじ孔１１２に挿入して螺合する。雄ねじ１１５は、頭部１１５ａと、この頭部１１５ａに連続した短い雄ねじ部１１５ｂと、雄ねじ部１１５ｂの先端に延長された長い細径部１１５ｃとを有する。この細径部１１５ｃをねじ孔１１２に挿入し、コイルスプリング１１４の中を通過させる。雄ねじ部１１５ｂの先端がねじ孔１１２に達したらドライバで頭部１１５ａを回転して締め付ける。このとき、細径部１１５ｃの先端は仕切板１１３の孔１１３ａに遊嵌するようにしている。以上で凸部１１０が完成する。
【００２６】
凹部１２０は、両側に突出部１２１，１２１を有している。各突出部１２１には外側から中央の空間まで貫通するねじ孔１２２が刻設されている。各ねじ孔１２２には、外側から雄ねじ１２３を螺合可能である。雄ねじ１２３は、頭部１２３ａと、雄ねじ部１２３ｂと、雄ねじ部１２３ｂの先端の係止突起１２３ｃとを有する。
【００２７】
図３（ｂ）に示すように凸部１１０を凹部１２０に嵌合し、雄ねじ１２３を外側からねじ孔１２２に挿入し、螺合する。雄ねじ１２３を締め付けたとき、先端の係止突起１２３ｃが仕切板１１３に対し長孔１１１の基端側から当接するようにしている。具体的には、凸部１１０の先端が凹部１２０の底に当接するように最も押し込んだ状態で、雄ねじ１２３をねじ込めば、自動的に係止突起１２３ｃが仕切板１１３と長孔１１１の基端側内壁との間に進入するようになっている。
【００２８】
図４は２つのリンクの接続部の外観を示す斜視図である。こうして凸部１１０と凹部１２０とを接続すると、２つのリンク１１，１１は、仕切板１１３が長孔内で移動可能な範囲で図３（ｂ）又は図４の矢印に示す方向に進退可能となる。すなわち、環状装身具の内径をこの範囲内で増減することができる。
【００２９】
実施例では、凸部１１０の長さＬを３．５ｍｍとし長孔１１１の長さを２．７〜３×ｍｍとしたとき、進退可能な長さは１．０ｍｍ確保できた。通常の指輪では、１サイズが内周で１ｍｍ違いなので、図１のようにリンク１１を４つ使用すれば、５サイズに渡って使用することができることになる。
【００３０】
また、１つの指輪を４つのリンク１１で構成すると、１つのリンク１１の長さは１５〜１８ｍｍ程度あり、凸部１１０と凹部１２０を除いた長さも９〜１２ｍｍ残り、この部分の外周に模様を刻設することができる。当然であるが、リンク１１の数は４個に限定するものではない。
【００３１】
以上の構成なので、本発明の装身具は、組立が容易である。また、１のリンク１１だけ他のリンクと交換することができる。また、リンク１１に加わる応力が小さく、金や銀等の柔らかな素材を使用することができる。
【００３２】
図５は、本発明の凸部１１０の他の実施例を示す断面図である。凸部１１０の先端面から穿設されているねじ孔１１２’は、全長に渡って同じ径の雌ねじとなっている。一方、雄ねじ１１６は、ねじ山が刻設された頭部１１６ａと細径部１１６ｂとからなる。また、リンク１１には、細径部１１６ｂが進入可能な穴１１８が穿設されている。コイルスプリング１１４の径は、雄ねじ１１６の頭部１１６ａの径より小さくなっている。すなわち、コイルスプリング１１４は、仕切板１１３と雄ねじの頭部１１６ａとの間に挟まれた状態となる。
【００３３】
この構成であると、雄ねじ１１６は、ねじ孔１１２’の任意の深さまでねじ込むことができ、頭部を凸部１１０の先端面から突出させることなくねじ込み深さを調整することができる。雄ねじ１１６は中間の位置で止めてもコイルスプリング１１４の付勢力が加わっているので、緩むことはない。ねじ込み深さが調整できるので、コイルスプリング１１４の弾性力を加減することができる。指輪などの装身具をはめているとき、コイルスプリング１１４の強さが強すぎると、長時間の装着が苦痛になるが、そのような場合は、雄ねじ１１６を緩めてコイルスプリング１１４の弾性力を弱くすればよい。逆にコイルスプリング１１４の強さが弱すぎると、抜け落ちる可能性がある。そのような場合は、コイルスプリング１１４を強くすることになる。
【００３４】
図６は本発明の他の実施例で、単一の弾性リンク２１の一端に凸部１１０を形成し、他端に凹部１２０を形成した例である。弾性リンク２１は、指の太さの変化により追従して変形可能な程度の弾性を有する。凸部１１０、凹部１２０の構成は図２、図３で説明したのと同じである。
【００３５】
図７は、第１リンク３１と第２リンク３２の一端同士をヒンジ部１３０で接続し、他端に凸部１１０と凹部１２０とを形成したものである。この実施例では凸部１１０と凹部１２０の円周方向長さを長くすれば、内径を大きく変化させることができる。また、ヒンジ部１３０があるので、第１リンク３１と第２リンク３２には弾性は不用である。この実施例におけるヒンジ部１３０の部分を凸部１１０と凹部１２０とで結合する構成としてもよい。
【００３６】
図８は、リンクの形状を変えた実施例の要部斜視図である。リンク４１は、凸部１１０と凹部１２０とは関係の無い位置では、どのような形状でもよい。そこで、この実施例では、中抜部４１ａを形成している。
【００３７】
図９は、凸部１１０と凹部１２０以外の部分が鎖からなるリンク５１で構成された装身具の例である。図１０は、図９のリンク６１の鎖の幅を広くした例である。リンク５１，６１の形状は、凸部１１０と凹部１２０の部分では制限を受けるが、それ以外では自由な形状とすることができる。
【図面の簡単な説明】
【００３８】
【図１】本発明の環状装身具の斜視図である。
【図２】図１に示す１つのリンクの両端部の構成を示す拡大分解斜視図である。
【図３】リンクの接続部を示す断面図で、（ａ）は接続前の状態、（ｂ）は接続後の状態を示す。
【図４】２つのリンクの接続部の外観を示す斜視図である。
【図５】本発明の凸部の他の実施例を示す断面図である。
【図６】本発明の他の実施例で、単一の弾性リンクの場合を示す斜視図である。
【図７】２つのリンクの一端同士をヒンジ部で接続し、他端に凸部と凹部とを形成した実施例の斜視図である
【図８】リンクの形状を変えた実施例の要部斜視図である。
【図９】凸部と凹部以外の部分が鎖からなるリンクで構成された装身具の例である
【図１０】図９のリンクの鎖の幅を広くした例である。
【符号の説明】
【００３９】
１１      リンク
２１      弾性リンク
３１      第１リンク
３２      第２リンク
１１０    凸部
１１１    長孔
１１３    仕切板
１１４    コイルスプリング（弾性体）
１２０    凹部
１２３ｃ  係止突起
【図１】
2005034512.tif 000003
【図２】
2005034512.tif 000004
【図３】
2005034512.tif 000005
【図４】
2005034512.tif 000006
【図５】
2005034512.tif 000007
【図６】
2005034512.tif 000008
【図７】
2005034512.tif 000009
【図８】
2005034512.tif 000010
【図９】
2005034512.tif 000011
【図１０】
2005034512.tif 000012